(57)【要約】      （修正有）【課題】点滴モードや電卓モードといった実際の看護現場において必要不可欠なモードを、容易かつ正確に、しかもダイレクトに選択することを可能にし、オペレータが操作すべきキーの数をできるだけ少なく抑え、液晶表示画面の配置に工夫を講じて操作の確実性を向上させる点滴速度調整補助具を提供する。【解決手段】モード選択キー１０と、機能キー２０と、テンキー３０と、加減乗除キー４０、液晶表示画面５０、スタート／ストップキー６０を備える。点滴モードでは点滅光又は断続音によって滴下タイミングを知らせ、タイマーモードでは点滅光、断続音又は振動によって到達時刻を知らせるように構成する。モード選択キー１０を、点滴モードを選択するための点滴キー１１と、タイマーモードを選択するためのタイマーキー１２と、電卓モードを選択するための電卓キー１３との３つの個別キーのみで構成する。【選択図】図１
0003207941.tif 000002
【実用新案登録請求の範囲】
【請求項１】
輸液の滴下タイミングを表示するための点滴モード、希望時間を表示するためのタイマーモード及び算術計算を実行するための電卓モードの相互間でモード切換えを行うモード選択キーと、所定の機能を選択する機能キーと、数値入力を実行するテンキーと、上記電卓モードで使用される加減乗除キーと、を備えていると共に、上記モード選択キーによって選択された点滴モード、タイマーモード及び電卓モードのそれぞれにおいて所要事項を表示する液晶表示画面を備え、さらに点滴モード及びタイマーモードの開始と停止を実行するスタート／ストップキーを備え、
点滴モードでは点滅光又は断続音によって滴下タイミングを知らせ、上記タイマーモードでは点滅光、断続音又は振動によって到達時刻を知らせるように構成されている点滴速度調整補助具であって、
上記モード選択キーが、点滴モードを選択するための点滴キーと、タイマーモードを選択するためのタイマーキーと、電卓モードを選択するための電卓キーとの３つの個別キーのみで構成されていることを特徴とする点滴速度調整補助具。
【請求項２】
上記機能キーが、点滴モードでの点滅光又は断続音を選択し、タイマーモードでの点滅光、断続音又は振動を選択するアラームキーと、上記液晶表示画面のバックライトを実行するバックライトキーと、上記テンキーによって実行された入力数値をキャンセルするクリアキーと、上記テンキーによって実行された入力数値を確定するセットキーのみで構成されている請求項１に記載した点滴速度調整補助具。
【請求項３】
手のひらに乗せて掴むことのできる大きさに形成された偏平な筐体の前面が、上段、中段及び下段の３段に区画され、上段区画の略全体に１つの上記液晶表示画面が配置され、中段区画に、上記モード選択キー、上記機能キー及びスタート／ストップキーの３種類のキーが上下２列に亘って横並びに配置され、下段区画に上記テンキー及び加減乗除キーが配置されている請求項１又は請求項２に記載した点滴速度調整補助具。
【考案の詳細な説明】
【技術分野】
【０００１】
本考案は、輸液セットを用いて人体に点滴処置を施すときに、輸液セットでの輸液の滴下タイミングを適切に調節することに役立つ点滴速度調整補助具に関する。
【背景技術】
【０００２】
点滴処置に用いられる一般的な輸液セットでは、輸液袋に差し込んだ滴下針から液溜筒内に滴下させた輸液が、その液溜筒から連結チューブや輸液針などを経て患者の体内に注入されるようになっている。そして、体内への輸液の注入速度は、連結チューブの途中箇所に設けられた手動式の流量調節器によって調節される。すなわち、流量調節器を手動調節すると、滴下針からの輸液の滴下時間間隔が変動して体内への輸液の注入速度が調整される。
【０００３】
また、一般的な輸液セットでは、その種類が、１ｍｌの輸液を滴下針から滴下させるのに必要なおおよその滴下数を基準として定められている。たとえば、輸液セットには、１ｍｌに相当する滴下数が１５滴のもの、１９滴のもの、２０滴のもの、６０滴のものなどがあり、これらの輸液セットのいずれを用いるかによって滴下針からの滴下タイミングの時間的間隔を上記した流量調節器によって手動にて適切に調節するようにしている。
【０００４】
ところで、実際の点滴処置において、滴下タイミングの滴下時間間隔を定める方法の１つとして演算法が提案されている。この演算法は、点滴に用いる輸液セットの種類を決定すると共に、輸液総量（ｍｌ）と輸液時間（輸液総量全部を滴下させる時間：ｈ）とを決定した後、それらを因子として滴下時間間隔を算出するという方法である。この演算法に基づいて点滴を行う場合、オペレータは、算出された滴下時間間隔に合わせて流量調節器を手動調節することにより滴下タイミングを定める。
【０００５】
そして、従来は、滴下時間間隔の算出や流量調節器の手動操作は看護師などによって行われ、滴下時間間隔は、看護師が常時携行しているカード型電卓などのテンキーや加減乗除キーなどを操作して計算により算出したり看護師自身が暗算で算出したりすることがあった。
【０００６】
一方、輸液を適切な滴下時間間隔で滴下させるための流量調節器の調節を容易にかつ正確に行うことができるようにするための補助具として、点滴速度調整補助具が従来より知られていた。この点滴速度調整補助具は、上記した演算法に基づく演算モードと時間当り法に基づく時間当りモードを選択することができるようになっていて、演算モードでは、輸液セットの種類と、輸液総量（ｍｌ）と、輸液時間とを入力すると、それらの入力値から滴下時間間隔が演算され、その演算値により滴下タイミングを周期的なアラーム表示又は光学表示によって看護師などのオペレータに認識させることができるようになっている。また、時間当りモードでは、輸液セットの種類と、単位時間当りの輸液速度（ｍｌ／ｈ）とを入力すると、それらの入力値から滴下時間間隔が演算され、その演算値により滴下タイミングを周期的なアラーム表示又は光学表示によって看護師などのオペレータに認識させることができるようになっている。そのため、この点滴速度調整補助具を用いることにより、看護師などのオペレータは、カード型電卓などの数値キーを操作することなく、輸液セットの滴下針からの輸液の実際の滴下タイミングがそのような周期的なアラーム表示や光学表示に合うように流量調節器を調節するという操作を行うだけで適切な滴下時間間隔を設定することができる。この点滴速度調整補助具は、２種類の操作キーを使い分けることによってモード切換えと輸液セットの種類の選択、輸液総量（ｍｌ）や輸液時間の設定、単位時間当りの輸液速度（ｍｌ／ｈ）の設定などを行うようになっていた。
【先行技術文献】
【特許文献】
【０００７】
【特許文献１】特になし
【考案の概要】
【考案が解決しようとする課題】
【０００８】
しかしながら、看護師などのオペレータ自身の思考を経た数値キーの入力操作によってカード型電卓を操作して滴下時間間隔を算出したり暗算で算出したりすると、数値キーの入力操作に錯誤や勘違いなどが生じて適切な滴下時間間隔が算出されないおそれがある。
【０００９】
このようなおそれは、上記した従来の点滴速度調整補助具を用いることによって解消されるけれども、従来の点滴速度調整補助具は、上記したように２種類の操作キーを使い分けることによって演算モードと時間当りモードとの間でのモード切換えと輸液セットの種類の選択、輸液総量（ｍｌ）や輸液時間の設定、単位時間当りの輸液速度（ｍｌ／ｈ）の設定などの多くの入力操作を行うようになっていたが、数値キーやモード切替キー、その他の操作キーの数及び見にくさから、操作キーの押し間違いなどによる操作ミスを生じやすいという問題があった。
また、従来の点滴速度調整補助具は、カード型電卓に見られるような加減乗除計算を行う機能を発揮する電卓モードを備えていない。そのため、当該点滴速度調整補助具を携行しているだけでは、必要に応じて加減乗除計算を行うことができず、その要求に対処するには、当該点滴速度調整補助具のほかにカード型電卓を携行しなければならないという不便もあった。
【００１０】
本考案は以上の状況の下でなされたものであり、輸液の滴下タイミングを表示するための点滴モードと、希望時間を表示するためのタイマーモードと、算術計算を実行するための電卓モードとの間でモード切換えを行うモード選択キーを備えるほか、上記点滴モードにおける、輸液セットの種類の選択、輸液総量（ｍｌ）や輸液時間の設定、単位時間当りの輸液速度（ｍｌ／ｈ）の設定などの入力操作を行うに際して、数値キーとを含むテンキーなどの入力用キー群を備えていることから、操作キーの押し間違いなどによる操作ミスを生じにくく、しかも、必要に応じて加減乗除計算を行う場合にも当該点滴速度調整補助具のほかにカード型電卓を携行しなければならないという不便を生じることのない点滴速度調整補助具を提供することを目的とする。また本考案は、点滴モードや電卓モードといった実際の看護現場において必要不可欠なモードを、モード選択キーの１回の押し下げ操作で容易かつ正確に、しかもダイレクトに選択することを可能にする点滴速度調整補助具を提供することを目的としている。また、この目的に併せて、オペレータが操作すべきキーの数をできるだけ少なく抑え、しかも、キーや液晶表示画面の配置に工夫を講じることによってオペレータによる操作の確実性を向上させた点滴速度調整補助具を提供することを目的としている。
【課題を解決するための手段】
【００１１】
本考案に係る点滴速度調整補助具は、輸液の滴下タイミングを表示するための点滴モード、希望時間を表示するためのタイマーモード及び算術計算を実行するための電卓モードの相互間でモード切換えを行うモード選択キーと、所定の機能を選択する機能キーと、数値入力を実行するテンキーと、上記電卓モードで使用される加減乗除キーと、を備えていると共に、上記モード選択キーによって選択された点滴モード、タイマーモード及び電卓モードのそれぞれにおいて所要事項を表示する液晶表示画面を備え、さらに点滴モード及びタイマーモードの開始と停止を実行するスタート／ストップキーを備えている。また、点滴モードでは点滅光又は断続音によって点滴の滴下タイミングを知らせ、上記タイマーモードでは点滅光、断続音又は振動によって到達時刻を知らせるように構成されている。
【００１２】
そして、上記モード選択キーが、点滴モードを選択するための点滴キーと、タイマーモードを選択するためのタイマーキーと、電卓モードを選択するための電卓キーとの３つの個別キーのみで構成されている、というものである。
【００１３】
この構成を有する点滴速度調整補助具によると、モード選択キーに含まれる３つの個別キー、具体的には点滴キー、タイマーキー又は電卓キーの中から所望するモードに対応するキーを１回だけ押し下げる操作を行うと、所望するモードが、容易かつ正確に、しかもダイレクトに選択されることになる。また、モード選択キーが、点滴キーとタイマーキーと電卓キーとの３つの個別キーのみで構成されていて他の余分なモード選択キーが存在しないので、オペレーターにとっては正確に所望のモードを選択できるようになる。
本考案では、上記機能キーが、点滴モードでの点滅光又は断続音を選択し、タイマーモードでの点滅光、断続音又は振動を選択するアラームキーと、上記液晶表示画面のバックライトを実行するバックライトキーと、上記テンキーによって実行された入力数値をキャンセルするクリアキーと、上記テンキーによって実行された入力数値を確定するセットキーのみで構成されていることが望ましい。この構成を採用することによって、上記したモード選択キーは勿論のこと、機能キーの数をも減らすことが可能になり、オペレーターにとって、正確に所望のモードや機能を選択できるようになる。
【００１４】
本考案では、手のひらに乗せて掴むことのできる大きさに形成された偏平な筐体の前面が、上段、中段及び下段の３段に区画され、上段区画の略全体に１つの上記液晶表示画面が配置され、中段区画に、上記モード選択キー、アラームキー、バックライトキー、セットキー及びスタート／ストップキーの５種類のキーが上下２列に亘って横並びに配置され、下段区画に上記テンキー及び加減乗除キーが配置されている、という構成を採用することが可能である。これによると、オペレータが当該点滴速度調整補助具を片手で持ったまま、その指でモード選択キー、アラームキー、バックライトキー、セットキー及びスタート／ストップキーを容易に操作することが可能になり、また、その操作中や操作後に液晶表示画面に表示されている事項を確認したりすることが可能になる。
【考案の効果】
【００１５】
以上のように、本考案の点滴速度調整補助具によれば、点滴モードや電卓モードといった実際の看護現場において必要不可欠なモードを、モード選択キーの１回の押し下げ操作で容易かつ正確に、しかもダイレクトに選択することを可能になり、しかも、オペレータが、配置に工夫がされた数少ない各種キーを操作すればよいので、操作の確実性が向上する。
【図面の簡単な説明】
【００１６】
【図１】本考案の実施形態に係る点滴速度調整補助具の正面図である。
【図２】点滴モードの実行手順を概略で示したフロー図である。
【図３】点滴モードでの液晶表示画面５０による表示項目を示した説明図である。
【図４】点滴モードで事項される設定項目を概略で示したブロック図である。
【図５】点滴モードでの滴下タイミング表示手段の選択手順を概略で示したブロック図である。
【図６】タイマーモードの実行手順を概略で示したフロー図である。
【図７】タイマーモードでの液晶表示画面５０による表示項目を示した説明図である。
【図８】タイマーモードで事項される設定項目を概略で示したブロック図である。
【図９】タイマーモードでのアラーム選択手順を概略で示したブロック図である。
【図１０】電卓モードの実行手順を概略で示したフロー図である。
【図１１】電卓モードでの液晶表示画面による表示項目を示した説明図である。
【図１２】電卓モードで実行される項目を概略で示したブロック図である。
【考案を実施するための形態】
【００１７】
図１は本考案の実施形態に係る点滴速度調整補助具の正面図である。同図に例示した点滴速度調整補助具は、手のひらに乗せて掴むことのできる大きさに形成された偏平な筐体１の前面に、モード選択キー１０と、所定の機能を選択する機能キー２０と、点滴モード及びタイマーモードの開始と停止を実行するスタート／ストップキー６０と、数値入力を実行するテンキー３０と、電卓モードでテンキー３０と共に使用される加減乗除キー４０と、を備えているほか、モード選択キー１０によって選択された点滴モード、タイマーモード及び電卓モードのそれぞれにおいて所要事項を表示するバックライト付きの液晶表示画面５０を備える。
【００１８】
モード選択キー１０は、点滴モードを選択するための点滴キー１１と、タイマーモードを選択するためのタイマーキー１２と、電卓モードを選択するための電卓キー１３との３つの個別キーのみで構成されていて、看護現場では使用頻度の少ないその他の余分なモードを選択するためのキーはすべて省略されている。点滴キー１１を押し下げ操作することによって選択される点滴モードは、輸液の滴下タイミングを表示するモードである。タイマーキー１２を押し下げ操作することによって選択されるタイマーモードは、オペレータが希望する時間を表示するモードであり、ここでいう「希望時間」とは、点滴処置が終了する予定時間などのことである。電卓キー１３を押し下げ操作することによって選択される電卓モードは、算術計算を実行するためのモードであり、このモードでは加減乗除キー４０が併せて操作される。
【００１９】
機能キー２０は、点滴モードでの点滅光又は断続音を選択し、タイマーモードでの点滅光、断続音又は振動（バイブレーション）を選択するアラームキー２１と、液晶表示画面５０のバックライトを実行するバックライトキー２２と、テンキー３０によって実行された入力数値をキャンセルするクリアキー２３と、テンキー３０によって実行された入力数値を確定するセットキー２４のみで構成されていて、看護現場では使用頻度の少ないその他の余分な機能を選択するためのキーはすべて省略されている。
【００２０】
図１のように、筐体１の前面は、上段、中段及び下段の３段に区画されていて、上段区画の略全体に１つの大きな上記液晶表示画面５０が配置されている。また、中段区画に、３つのモード選択キー１０、４つの機能キー２０及び１つのスタート／ストップキー６０の３種類のキーが上下２列に亘って横並びに配置されている。さらに、下段区画にテンキー３０及び加減乗除キー４０が配置されている。そして、３つのモード選択キー１０が上列に横並びに配置され、その横にスタート／ストップキー６０が配置されている。液晶表示画面５０では、最上段に点滴、タイマー及び電卓の各モードを示すマーク（点滴マーク１０１、時計マーク１０２、電卓マーク１０３）がこの順に横並びで表示され、さらにその横に、電源としてのバッテリ残量を示すバッテリーマーク１０４、滴下タイミングやタイマーモードでの到達時間を示す音マーク１０５，振動マーク１０６、光マーク１０７がこの順に横並びで表示されるようになっている。また、中央段で輸液セットに係る項目や輸液時間に係る項目を数値表示するようになっている。さらに、最下段で輸液総量や滴下数に係る項目、上記した希望時間や電卓計算に係る項目を数値表示するようになっている。なお、液晶表示画面５０による表示項目については、後述する各モードの説明において詳しく説明する。
【００２１】
次に、点滴モード、タイマーモード、電卓モードの３つのモードについての実行手順やそれら各モードでの液晶表示画面５０による表示項目などを説明する。
【００２２】
＜点滴モード＞
図２は点滴モードの実行手順を概略で示したフロー図、図３は点滴モードでの液晶表示画面５０による表示項目を示した説明図、図４は点滴モードで実行される設定項目を概略で示したブロック図、図５は点滴モードでの滴下タイミング表示手段の選択手順を概略で示したブロック図である。
【００２３】
図２に示したように、点滴モードを選択するときには、点滴キー１１を押し下げ操作して点滴モードを選択する。これにより点滴キー１１を１回押し下げるだけで点滴モードが即座に選択される。
【００２４】
図３に示したように、点滴モードでの液晶表示画面５０では、最上段に点滴マーク１０１、バッテリーマーク１０４と、予め選択されているアラームの種類により音マーク１０５、光マーク１０７のいずれかを表示し、点滴モードで不要とされる時計マーク１０２及び電卓マーク１０３は表示されない。また、中央段で輸液セットに係る項目Ｓや輸液時間に係る項目Ｔを数値表示し、さらに、最下段で輸液総量に係る項目Ｑや滴下数に係る項目Ｕを表示する。
【００２５】
点滴キー１１を押し下げて点滴モードを選択すると、図３に示した液晶表示画面５０の輸液セットに係る項目Ｓが点滅して輸液セットの単位量当たりの滴下数の入力を促す。通常、輸液セットは、１ｍｌ当たりの滴下数が１５滴、１９滴、２０滴、６０滴、の４種類が多く使用されており、使用対象である輸液セットについての滴下数をオペレーターがテンキー３０で入力してからセットキー２４（図１）を押し下げ操作することによって輸液セットの種類を確定する（図２参照）。輸液セットに由来する単位量当たり滴下数の入力値は上記項目Ｓに数値表示される。
【００２６】
テンキー３０を使用して上記のように輸液セットの単位量当たり滴下数を確定した後、テンキー３０から輸液時間と輸液総量とを数値入力する。図２のように、輸液時間及び輸液総量の入力後には、それぞれセットキー２４を押し下げ操作して輸液時間及び輸液総量を確定する。なお、輸液セットの単位量当たり滴下数の確定後には、液晶表示画面５０の輸液時間に係る項目Ｔが点滅して輸液時間の入力を促し、輸液時間の確定後には、液晶表示画面５０の輸液総量に係る項目Ｑが点滅して輸液総量の入力を促す。
【００２７】
図２又は図４に示したように、テンキー３０によって単位量当たりの滴下数を入力して輸液セットを確定し、輸液時間及び輸液総量を入力してそれらの数値を確定し、つぎにスタートキー６０を押し下げ操作すると、内蔵の演算回路７０の機能によって単位時間当たり滴下数が自動算出され、その数値が液晶表示画面５０の滴下数に係る項目Ｕに表示されると共に点滴モードが開始し、輸液の滴下タイミングと同調したアラームが断続音又は点滅光で発せられる。
【００２８】
次に、図２又は図５のように、アラームキー２１を押し下げ操作すると、内蔵の選択制御回路の機能によって輸液の滴下タイミングのアラームを音で行うか光で行うかを切り替えることが可能である。オペレータが、アラームキー２１を押し下げて、切り替えて選択された輸液の滴下タイミングのアラームが音であれば音マーク１０５が表示され内蔵スピーカから一定時間毎の断続音が出力され、光であれば光マーク１０７が表示される。滴下タイミングのアラームは音の場合は内蔵されたスピーカーからの断続音により発せられ、光の場合は液晶表示画面５０のバックライトの点滅によって発せられる。
【００２９】
したがって、輸液セットの滴下針からの輸液の実際の滴下タイミングがそのような周期的な断続音や光点滅に合うようにオペレータが流量調節器を調節するという操作を行うだけで適切な滴下時間間隔が設定される。
【００３０】
＜タイマーモード＞
図６はタイマーモードの実行手順を概略で示したフロー図、図７はタイマーモードでの液晶表示画面５０による表示項目を示した説明図、図８はタイマーモードで事項される設定項目を概略で示したブロック図、図９はタイマーモードでのアラーム選択手順を概略で示したブロック図である。
【００３１】
図６に示したように、タイマーモードを選択するときは、タイマーキー１２を押し下げ操作する。これによりタイマーキー１２を１回押し下げるだけでタイマーモードが即座に選択される。
【００３２】
図７に示したように、タイマーモードでの液晶表示画面５０では、最上段に時計マーク１０２、バッテリーマーク１０４と、予め選択されているアラームの種類により音マーク１０５、振動マーク１０６、光マーク１０７のいずれか１つが表示され、タイマモードで不要とされる点滴マーク１０１及び電卓マーク１０３（図３参照）は表示されない。また、中央段で輸液セットに係る項目Ｓや輸液時間に係る項目Ｔも不要であるので表示されない（図３参照）。さらに、最下段で設定時間に係る項目Ｗを表示する。この項目Ｗの表示には、図３に示した点滴モードでの輸液総量に係る項目Ｑ及び滴下数に係る項目Ｕが転用されている。
【００３３】
図６において、タイマーモードを選択すると、液晶表示画面５０の設定時間に係る項目Ｗの中の「時」に相当する部分が点滅してテンキー３０による数値入力を促す。そこで、オペレータが数値を入力した後、セットキー２４を押し下げると、設定時間中の「時」に相当する数値が確定し、同時に「分」に相当する部分が点滅してテンキー３０による数値入力を促す。同様にして、オペレータが数値を入力した後、セットキー２４を押し下げると、設定時間中の「分」に相当する数値が確定し、同時に「秒」に相当する部分が点滅してテンキー３０による数値入力を促す。同様に、オペレータが数値を入力した後、セットキー２４を押し下げると、設定時間中の「秒」に相当する数値が確定する。このようにして希望時間を入力し、希望時間を確定し、つぎにスタートキー６０を押し下げ操作すると、図８のように、内蔵のタイマー回路が動作を開始し、液晶表示画面５０の設定時間に係る項目Ｗの数値が時間経過を表示して、タイマーモードが開始される。
【００３４】
次に、図６又は図９のように、アラームキー２１を押し下げ操作すると、内蔵の選択制御回路の機能によってアラームを音で行うか、振動で行うか、光で行うかを切り替えて選択することが可能である。この選択動作は、液晶表示画面５０の音マーク１０５、振動マーク１０６、光マーク１０７の表示によって行われる。そして、希望時間が到達すると、音、振動又は光によって希望時間に到達したことが表示される。
【００３５】
したがって、オペレータは、振動や音の発生、又は液晶表示画面５０のバックライトの点滅によって希望時間に到達したことを認識できるようになる。
【００３６】
＜電卓モード＞
図１０は電卓モードの実行手順を概略で示したフロー図、図１１は電卓モードでの液晶表示画面５０による表示項目を示した説明図、図１２は電卓モードで実行される項目を概略で示したブロック図である。
【００３７】
図１０に示したように、電卓モードを選択するときは、電卓キー１３を押し下げ操作する。これにより電卓キー１３を１回押し下げるだけで電卓モードが即座に選択される。
【００３８】
図１１に示したように、電卓モードでの液晶表示画面５０では、最上段に電卓マーク１０３、バッテリーマーク１０４だけを表示し、電卓モードで不要とされる点滴マーク１０１、時計マーク１０２は表示されない。また、中央段で輸液セットに係る項目Ｓや輸液時間に係る項目Ｔも不要であるので表示されない（図３参照）。さらに、最下段で入力数値や計算結果に係る項目Ｃを表示する。この項目Ｃの表示には、図３に示した点滴モードでの輸液総量に係る項目Ｑ及び滴下数に係る項目Ｕが転用されている。
【００３９】
図１０において、電卓モードを選択した後、テンキー３０や加減乗除キー４０を用いて数値入力すると、液晶表示画面５０の入力数値や計算結果に係る項目Ｃに入力数値や計算結果が表示される。
【００４０】
この点滴速度調整補助具において、タイマーモードは、点滴終了時間を表示させたり、オペレータが必要としている他の業務時間を表示させたりするのに有益である。また、電卓モードは、点滴処置に必要とされる計算を実行するのに有益である。
【符号の説明】
【００４１】
１  筐体
１０  モード選択キー
１１  点滴キー
１２  タイマーキー
１３  電卓キー
２０  機能キー
２１  アラームキー
２２  バックライトキー
２３  クリアキー
２４  セットキー
３０  テンキー
４０  加減乗除キー
５０  液晶表示画面
６０  スタート／ストップキー
【図１】
0003207941.tif 000003
【図２】
0003207941.tif 000004
【図３】
0003207941.tif 000005
【図４】
0003207941.tif 000006
【図５】
0003207941.tif 000007
【図６】
0003207941.tif 000008
【図７】
0003207941.tif 000009
【図８】
0003207941.tif 000010
【図９】
0003207941.tif 000011
【図１０】
0003207941.tif 000012
【図１１】
0003207941.tif 000013
【図１２】
0003207941.tif 000014